(57)【要約】【課題】  本発明は衝撃緩衝フェンスのリフォーム方法に係り、プレイヤーに対する良好な衝撃緩衝性を確保しつつ、施工作業性に優れコストの安い衝撃緩衝フェンスのリフォーム方法を提供することを目的とする。【解決手段】  請求項１に係る衝撃緩衝フェンスのリフォーム方法は、コンクリート壁の壁面に発泡体製緩衝材層を取り付け、該発泡体製緩衝材層の表面を覆って表層を設けた野球場，競技場等の既設の衝撃緩衝フェンス上に、発泡体製緩衝材を接着し、該発泡体製緩衝材の表面と前記衝撃緩衝フェンスの既存露出面に、速硬化樹脂からなる高粘度混合物を吹き付けて表層を形成することを特徴とする。  そして、請求項２に係る発明は、請求項１に記載の衝撃緩衝フェンスのリフォーム方法に於て、既設の前記衝撃緩衝フェンスの表層に孔を設けて、該表層上に前記発泡体製緩衝材を接着することを特徴とする。【選択図】    図１
2009256931.tif 000002
【特許請求の範囲】
【請求項１】
コンクリート壁の壁面に発泡体製緩衝材層を取り付け、該発泡体製緩衝材層の表面を覆って表層を設けた野球場，競技場等の既設の衝撃緩衝フェンス上に、発泡体製緩衝材を接着し、該発泡体製緩衝材の表面と前記衝撃緩衝フェンスの既存露出面に、速硬化樹脂からなる高粘度混合物を吹き付けて表層を形成することを特徴とする衝撃緩衝フェンスのリフォーム方法。
【請求項２】
既設の前記衝撃緩衝フェンスの表層に孔を設けて、該表層上に前記発泡体製緩衝材を接着することを特徴とする請求項１に記載の衝撃緩衝フェンスのリフォーム方法。
【発明の詳細な説明】
【技術分野】
【０００１】
本発明は、野球場，競技場等のリフォームが必要な既存の衝撃緩衝フェンスのリフォーム方法に係り、詳しくはプレイヤーに対する良好な衝撃緩衝性を確保しつつ、施工作業性に優れコストの安い衝撃緩衝フェンスのリフォーム方法に関する。
【背景技術】
【０００２】
今日、多くの野球場や競技場等では、プレイヤーがコンクリート壁のフェンスに激突した際に怪我をしないように、衝撃緩衝機能を持たせた衝撃緩衝フェンスが設置されている。
【０００３】
図３は従来のこの種の衝撃緩衝フェンスを示し、図示するようにこの衝撃緩衝フェンス１は、コンクリート壁のフェンス３の壁面（表面）３ａに連続気泡のウレタン等からなる厚さ４０ｍｍ程のクッション材（発泡体製緩衝材層）５を接着剤で貼着した後、該クッション材５を覆って補強繊維入りの厚さ３ｍｍ程のゴムシートからなるカバーゴム（表層）７を取り付けて、カバーゴム７の上下両端を、夫々、押さえ板９とボルト１１等の締結部材１３でフェンス３の壁面３ａや上壁面３ｂに固定した構造となっている。
【０００４】
また、図４は特許文献１に開示された衝撃緩衝フェンスを示し、この衝撃緩衝フェンス１５は、フェンス３の壁面３ａの上部コーナ部３ｃに沿って切欠部１７ａを設けたゴム状弾性部材からなる枕状の支持部材１７を上部コーナ部３ｃに固定し、支持部材１７の突出した長さＬの部分と同じ厚さに形成したクッション材５を壁面３ａに接着剤で貼着して、壁面３ａの下部に押さえ板９とボルト１１等の締結部材１３を介してカバーゴム７の下端側を固定すると共に、該カバーゴム７をクッション材５及び支持部材１７を覆うように引っ張り上げ、更にカバーゴム７をジャッキ等を用いて展張させた状態で、その上端側をフェンス３の上壁面３ｂに締結部材１３を介して固定したものである。
【０００５】
而して、図３の衝撃緩衝フェンス１は、長期に亘って使用した場合にカバーゴム７の自重でカバーゴム７に弛みが発生して外観が著しく損なわれるという課題が指摘されていたが、図４の衝撃緩衝フェンス１５によれば、カバーゴム７の重量の一部を支持部材１７に持たせることができるため、施工後にカバーゴム７に弛みが発生することがなくなる。
【０００６】
一方、図５は特許文献２に開示された衝撃緩衝フェンス（スプレーラバーフェンス）を示し、この衝撃緩衝フェンス１９は、コンクリート壁３の壁面３ａにクッション材５を接着剤で貼着した後、クッション材５の表面に吹き付け手段２１により主剤と硬化剤とを混合させた速硬化性樹脂からなる高粘度混合物２３を吹き付けて、クッション材５の表面に厚さ２ｍｍ程のスプレー層（表層）２５を形成したものである。
【０００７】
而して、この衝撃緩衝フェンス１９によれば、前記衝撃緩衝フェンス１，１５に比し、施工に当たりカバーゴム７や締結部材１３が不要となるため、施工作業性に優れた利点を有している。
【特許文献１】特開平８−１５１７０６号公報
【特許文献２】特許第３４３９８４１号公報
【発明の開示】
【発明が解決しようとする課題】
【０００８】
ところで、昨今では、東京ドームや札幌ドーム等、多くのドーム形の屋内野球場が建設されているが、その他の野球場や競技場では衝撃緩衝フェンスは屋外に取り付けられ、直射日光，雨雪，オゾン等の環境下に晒され、加えてドーム形の野球場に於てもプレイヤーの衝撃，スパイクの衝撃，ボールの衝撃を日常的に受ける等、過酷な条件下で使用されている。
【０００９】
そのため、衝撃緩衝フェンスは定期的な部分補修（メンテナンス）が必要であり、また、例えば施工後５〜１０年には、部分補修に加えて専用塗料を用いてトップコート塗布を行ったり、速硬化ウレタン吹付けを行って衝撃緩衝フェンス全体のリフォームを図っているのが実情である。
【００１０】
しかし乍ら、斯様に速硬化ウレタンや専用塗料を用いてトップコート塗布を行った場合、衝撃緩衝フェンスの表層が硬くなってしまう虞があった。
【００１１】
そして、従前と同様の衝撃緩衝性を確保するために、現状では衝撃緩衝フェンスを全面リフォームするしかないのが実情であるが、全面リフォームを行った場合、既存の衝撃緩衝フェンスの撤去に費やす時間が必要になると共に、撤去費用，産廃費用等が負担となってコストが非常にかかってしまう不具合があった。
【００１２】
本発明は斯かる実情に鑑み案出されたもので、プレイヤーに対する良好な衝撃緩衝性を確保しつつ、施工作業性に優れコストの安い衝撃緩衝フェンスのリフォーム方法を提供することを目的とする。
【課題を解決するための手段】
【００１３】
斯かる目的を達成するため、請求項１に係る衝撃緩衝フェンスのリフォーム方法は、コンクリート壁の壁面に発泡体製緩衝材層を取り付け、該発泡体製緩衝材層の表面を覆って表層を設けた野球場，競技場等の既設の衝撃緩衝フェンス上に、発泡体製緩衝材を接着し、該発泡体製緩衝材の表面と前記衝撃緩衝フェンスの既存露出面に、速硬化樹脂からなる高粘度混合物を吹き付けて表層を形成することを特徴とする。
【００１４】
そして、請求項２に係る発明は、請求項１に記載の衝撃緩衝フェンスのリフォーム方法に於て、既設の前記衝撃緩衝フェンスの表層に孔を設けて、該表層上に前記発泡体製緩衝材を接着することを特徴とする。
【発明の効果】
【００１５】
専用塗料を用いて衝撃緩衝フェンスの表層にトップコート塗布を行ったり速硬化ウレタン吹付けを行っていた従来のリフォーム方法では、表層が硬くなってしまう虞があったが、請求項１に係る発明によれば斯かる不具合がなく、プレイヤーに対する良好な衝撃緩衝性を確保することができる。
【００１６】
また、既設の衝撃緩衝フェンスを撤去する必要がないため、工期が短縮でき、而も、撤去費用，産廃費用がかかることがないため、全面リフォームに比しコストの大幅な削減が図れる利点を有する。
【００１７】
そして、請求項２に係る発明によれば、既設の衝撃緩衝フェンスのクッション材と新たなクッション材３９との間に空気が流通するため、新たな衝撃緩衝フェンスが更に柔らかくなって衝撃緩衝性が向上する。
【発明を実施するための最良の形態】
【００１８】
以下、本発明の実施形態を図面に基づいて詳細に説明する。
【００１９】
図１は請求項１に係る発明方法の一実施形態を用いてリフォームした衝撃緩衝フェンスの断面図を示し、図中、３１は野球場のコンクリート壁からなる高さ１１４０ｍｍの内野フェンス（以下、「フェンス」という）で、その上部は１２０〜１５０ｍｍの厚みに形成されている。尚、図中、ＧＬはグラウンドである。
【００２０】
そして、フェンス３１の壁面（表面）３３に衝撃緩衝フェンス３５が設置されており、本実施形態は該衝撃緩衝フェンス３５のリフォーム方法である。
【００２１】
前記衝撃緩衝フェンス３５は既述した衝撃緩衝フェンス１，１５と略同一構造からなり、図中、３７は前記壁面３３に接着剤を介して接着された厚さ３ｍｍ程の樹脂製の背面止水板、３９は該背面止水板３７に接着剤で接着された厚さ４７ｍｍ程の連続気泡のウレタン発泡材からなるクッション材（発泡体製緩衝材層）で、該クッション材３９の上下に上部クッション材４１と下部クッション材４３が接着されている。
【００２２】
上部クッション材４１は、前記クッション材３９と同一材料を用いて棒状且つ枕状に形成された断面半円形状（１／２円形状）からなり、その断面の略半径分の長さがフェンス３１の上部コーナ部４５から外方向に突出し、その突出量と同じ厚さに形成した前記クッション材３９が、背面止水板３７に接着剤で接着されている。
【００２３】
一方、下部クッション材４３は、前記クッション材３９と同一材料を用いて棒状に形成された断面１／４円形状からなり、その半径の長さが前記クッション材３９の厚さと同一に設定されている。
【００２４】
そして、これらのクッション材３９，４１，４３を覆って補強繊維入りの厚さ３ｍｍ程のゴムシートからなるカバーゴム（表層）４７が接着されて、カバーゴム４７の上端が、押さえ板４９と図示しないコンクリートアンカーでフェンス３１の上壁面５１に固定されると共に、カバーゴム４７の下端が、前記背面止水板３７を介して押さえ板４９とコンクリートアンカーでフェンス３１の表面３３に固定されて、衝撃緩衝フェンス３５が内野の全フェンス３１の最上部から地上高さ１０ｃｍｍに亘って形成されている。
【００２５】
尚、図示しないが、野球場の外野のフェンスやバックネット側のフェンスにも、コンクリート壁の高さ寸法に応じて前記衝撃緩衝フェンス３５が取り付けられている。
【００２６】
ところで、既述したように屋外に取り付けられた衝撃緩衝フェンス３５は直射日光，雨雪，オゾン等の環境下に晒され、加えて衝撃緩衝フェンス３５はプレイヤーの衝撃，スパイクの衝撃，ボールの衝撃を日常的に受ける等、過酷な条件下で使用されている。
【００２７】
このため、衝撃緩衝フェンス３５は定期的な部分補修（メンテナンス）が必要であると共に、例えば施工後５〜１０年には、部分補修に加えて衝撃緩衝フェンス３５全体のリフォームが必要となる。
【００２８】
そこで、本実施形態は、前記衝撃緩衝フェンス３５のカバーゴム４７の表面にクッション材（発泡体製緩衝材層）５３を接着剤で貼り付け、更に、該クッション材５３の表面と衝撃緩衝フェンス３５の既存露出面に速硬化ウレタンを吹き付けて、該衝撃緩衝フェンス３５をリフォームしたもので、以下、請求項１に係るリフォーム方法の一実施形態を説明する。
【００２９】
先ず、衝撃緩衝フェンス３５のリフォームに当たり、カバーゴム４７の汚れを水で洗浄し、カバーゴム４７の劣化の程度に応じてプライマーをかける。
【００３０】
そして、図１に示すようにカバーゴム４７の表面に、連続気泡のウレタン発泡材からなる厚さ３０〜５０ｍｍの前記クッション材５３を接着剤で貼着すると共に、該クッション材５３の上下に上部クッション材５５と下部クッション材５７を配置して、これらをクッション材５３とカバーゴム４７に貼着する。
【００３１】
上部クッション材５５と下部クッション材５７は、クッション材５３と同一材料を用いて棒状に形成された断面１／４円形状からなり、その半径の長さが前記クッション材５３の厚さと同一に設定されている。
【００３２】
尚、図２(ａ)，（ｂ）に示すように前記クッション材５３に代え、クッション材５３-1の上端側と下端側を、夫々、先細に形成すると共に、クッション材５３-1の背面側上部と背面側下部に複数の切欠き５８を設けて、カバーゴム４７の上下の円弧状の湾曲に沿ってクッション材５３-1の上下を湾曲させて該カバーゴム４７に貼着可能としてもよく、この場合、前記上部クッション材５５と下部クッション材５７は不要である。
【００３３】
そして、衝撃試験から、連続気泡のウレタン発泡材は独立気泡のポリエチレン発泡材に比し衝撃緩衝性に優れ、また、斯かるウレタン発泡材は厚さ３０〜５０ｍｍで十分な衝撃緩衝性が期待できることが明らかとなった。
【００３４】
このため、本実施形態では、前記クッション材５３を連続気泡のウレタン発泡材を用いて厚さ３０〜５０ｍｍに形成している。
【００３５】
但し、独立気泡のポリエチレン発泡材で前記クッション材を形成した場合、例えばその厚さを７０ｍｍ程度にすれば、厚さ５０ｍｍ程度の前記クッション材５３と同様な衝撃緩衝性が期待できることが衝撃試験から明らかとなっているため、クッション材５３の材料は連続気泡のウレタン発泡材に限定されず独立気泡のポリエチレン発泡材を使用してもよく、これに合わせて上部クッション材５５と下部クッション材５７を独立気泡のポリエチレン発泡材で形成してもよい。
【００３６】
このように、カバーゴム４７の表面にクッション材５３を接着剤で貼り付けた後、該クッション材５３，上部クッション材５５，下部クッション材５７の表面と衝撃緩衝フェンス３５の既存露出面に、図示しない吹付け装置で速硬化ウレタンを吹き付けてウレタンスプレー層（表層）５９を形成する。
【００３７】
前記吹付け装置は、一例として周知のスタティックミキサー方式（スタティックミキサーの外部を流れる圧縮エアーによるスプレー方式）を使用する。
【００３８】
このようにクッション材５３，５５，５７の表面と衝撃緩衝フェンス３５の既存露出面に速硬化ウレタンを吹き付けてウレタンスプレー層５９を形成することで、衝撃緩衝フェンス３５をリフォームした新たな衝撃緩衝フェンス６１が設置されて、衝撃緩衝フェンス３５のリフォームが完了する。
【００３９】
而して、この新たな衝撃緩衝フェンス６１にプレイヤーが激突しても、２層のクッション材３９，５３の衝撃緩衝機能によってプレイヤーは保護される。そして、既述したように専用塗料を用いてカバーゴムにトップコート塗布を行ったり、カバーゴムに速硬化ウレタン吹付けを行っていた従来のリフォーム方法では、表層が硬くなってしまう虞があったが、本実施形態のリフォーム方法によれば斯かる虞がなく、プレイヤーに対する良好な衝撃緩衝性を確保することができる。
【００４０】
また、本実施形態によれば、既存の衝撃緩衝フェンス３５を撤去する必要がないため、工期が短縮でき、而も、撤去費用，産廃費用がかかることがないため、全面リフォームに比しコストの大幅な削減が図れる利点を有する。
【００４１】
尚、図示しないが、請求項２の一実施形態のように、カバーゴム４７へのクッション材５３の貼着に当たり、カバーゴム４７に複数の孔を設けてクッション材５３とクッション材３９との間に空気の流通性を持たせてもよい。
【００４２】
而して、この実施形態によれば、連続気泡のウレタン発泡材からなるクッション材３９，５３が連続した構造となるため、衝撃緩衝フェンス６１が更に柔らかくなって衝撃緩衝性が向上する利点を有する。尚、既述したように図１の実施形態は、クッション材３９，５３を連続気泡のウレタン発泡材で形成したため、カバーゴム４７に複数の孔を設けることで衝撃緩衝性を向上させることができるが、例えばクッション材３９を独立気泡のポリエチレン発泡材で形成し、クッション材５３を連続気泡のウレタン発泡材で形成した場合には、衝撃緩衝性を向上させるため、独立気泡のポリエチレン発泡材のクッション材３９に前記複数の孔を貫通させて背面の止水板３７まで削孔させる必要がある。
【００４３】
また、リフォームに当たり、前記カバーゴム４７を撤去してクッション材３９にクッション材５３を直接貼り付けてもよい。
【００４４】
更に、前記実施形態では、速硬化ウレタンの吹き付けに周知のスタティックミキサー方式を用いたが、その他の吹付け方法を用いることができることは勿論であり、例えばスプレーガン内部で主剤と硬化剤を衝突混合させて、材料を送る圧力（高圧）で速硬化ウレタンを吹き付ける衝突混合方法を利用してもよい。
【００４５】
そして、前記実施形態は、図３，図４の従来構造と同様な衝撃緩衝フェンス３５をリフォームの対象としたが、本発明方法は、図５に示す衝撃緩衝フェンス（スプレーラバーフェンス）１９のリフォームにも利用することが可能である。
【図面の簡単な説明】
【００４６】
【図１】請求項１の一実施形態でリフォームされた衝撃緩衝フェンスの断面図である。
【図２】既設の衝撃緩衝フェンスに貼着するクッション材の変形例である。
【図３】従来の衝撃緩衝フェンスの断面図である。
【図４】従来の他の衝撃緩衝フェンスの断面図である。
【図５】従来の更に他の衝撃緩衝フェンスの断面図である。
【符号の説明】
【００４７】
３１  フェンス
３３  壁面
３５，６１  衝撃緩衝フェンス
３７  背面止水板
３９，５３，５３-1  クッション材
４１，５５  上部クッション材
４３，５７  下部クッション材
４７  カバーゴム
５９  ウレタンスプレー層
【図１】
2009256931.tif 000003
【図２】
2009256931.tif 000004
【図３】
2009256931.tif 000005
【図４】
2009256931.tif 000006
【図５】
2009256931.tif 000007
【手続補正書】
【提出日】平成20年5月1日(2008.5.1)
【手続補正１】
【補正対象書類名】明細書
【補正対象項目名】０００６
【補正方法】変更
【補正の内容】
【０００６】
一方、図５は特許文献２に開示された衝撃緩衝フェンスを示し、この衝撃緩衝フェンス１９は、コンクリート壁３の壁面３ａにクッション材５を接着剤で貼着した後、クッション材５の表面に吹き付け手段２１により主剤と硬化剤とを混合させた速硬化性樹脂からなる高粘度混合物２３を吹き付けて、クッション材５の表面に厚さ２ｍｍ程のスプレー層（表層）２５を形成したものである。
【手続補正２】
【補正対象書類名】明細書
【補正対象項目名】００３７
【補正方法】変更
【補正の内容】
【００３７】
前記吹付け装置は、一般的速硬化ウレタン吹付け装置を使用する。
【手続補正３】
【補正対象書類名】明細書
【補正対象項目名】００４４
【補正方法】削除
【補正の内容】
【手続補正４】
【補正対象書類名】明細書
【補正対象項目名】００４５
【補正方法】変更
【補正の内容】
【００４５】
そして、前記実施形態は、図３，図４の従来構造と同様な衝撃緩衝フェンス３５をリフォームの対象としたが、本発明方法は、図５に示す衝撃緩衝フェンス１９のリフォームにも利用することが可能である。